(57)【特許請求の範囲】
【請求項１】
互いに嵌合接続される雌雄一対のコネクタハウジングと、一方のコネクタハウジング内の接続端子相互を短絡可能に前記一方のコネクタハウジングに装備されるショート端子と、前記一対のコネクタハウジング相互の嵌合接続が完了するときに前記ショート端子による短絡状態を解除する短絡解除部材と、を備えるコネクタであって、
前記一方のコネクタハウジングは、該コネクタハウジング内の複数の端子収容孔に隣接するように配置されると共に、該コネクタハウジングの後端に開放する端子装着用開放部を有したショート端子収容空間と、前記複数の端子収容孔と前記ショート端子収容空間とを連通させて前記端子収容孔内の接続端子を前記ショート端子収容空間に臨ませる連通口と、を備え、
前記ショート端子は、前記端子装着用開放部から前記ショート端子収容空間内の前記連通口側から離れた領域に装着される端子本体と、該端子本体から前記連通口側に斜めに延出して前記連通口から各端子収容孔内に突出する短絡用接触片と、を備え、
前記短絡解除部材は、一方のコネクタハウジングの後端に嵌合装着されるハウジング嵌合部と、前記端子収容孔の延在方向に沿って前記ショート端子収容空間の前記端子収容孔寄りの位置に挿入可能に前記ハウジング嵌合部に一体形成された短絡解除片と、を備え、
前記ハウジング嵌合部は、前記一方のコネクタハウジングに対する係止位置が、前記短絡解除片の先端が前記短絡用接触片と前記接続端子との接触を妨げない仮係止位置と、前記短絡解除片の先端が前記短絡用接触片と前記接続端子との間に割り込むことで前記短絡用接触片を前記接続端子から離脱させる本係止位置とに切り替え可能に構成され、
前記短絡解除片は、前記ショート端子収容空間内の前記短絡用接触片の動作状態を前記端子装着用開放部から視認可能に装備されている
ことを特徴とするコネクタ。
【請求項２】
前記短絡解除部材のハウジング嵌合部は、雌雄一対のコネクタハウジング相互の接続をロックするために一方のコネクタハウジングに装備されているロックアームの係止部の後端に係合することで前記仮係止位置を維持する第１係合部と、前記ロックアームの係止部の前端に係合することで前記本係止位置を維持する第２係合部とを備え、
前記第１係合部による係合状態は、雌雄一対のコネクタハウジング相互の嵌合接続が完了したときに解除されることを特徴とする請求項１に記載のコネクタ。
【発明の詳細な説明】
【技術分野】
【０００１】
本発明は、エアバッグ用のインフレータへの回路接続に使用されるコネクタに関する。
【背景技術】
【０００２】
エアバッグ用のインフレータへの回路接続に使用されるコネクタは、通常、雌雄コネクタハウジングの嵌合接続時に静電気によってインフレータが誤作動することを防止するために、ショート端子や短絡解除部材を備えた構成になっている。ショート端子は、雌雄コネクタハウジングの嵌合接続が完了するまでは、インフレータに接続する２極間に電位差が生じないように、インフレータに接続する２極間を短絡接続する。また、短絡解除部材は、コネクタハウジング相互の嵌合接続が完了したときに、前記ショート端子による短絡状態を解除する部材である。
【０００３】
図１７及び図１８は、上記インフレータへの回路接続に使用されるコネクタの従来例を示したものである。
このコネクタ１００は、下記特許文献１に開示されたものである。
【０００４】
このコネクタ１００は、互いに嵌合接続される雌雄一対のコネクタハウジング１１０，１２０と、一方のコネクタハウジング１１０内の接続端子１１１相互を短絡可能に一方のコネクタハウジング１１０に装備されるショート端子１３０と、図１８に示すように一対のコネクタハウジング１１０，１２０相互の嵌合接続が完了するときにショート端子１３０による短絡状態を解除する短絡解除部材１４０と、を備える。
【０００５】
図示例のコネクタ１００において、一方のコネクタハウジング１１０は、複数の雄型の接続端子１１１を収容した雄コネクタハウジングである。また、他方のコネクタハウジング１２０は、接続端子１１１に嵌合接続させる複数の雌型の接続端子１２１を端子収容筒部１２３に収容した雌コネクタハウジングである。
【０００６】
コネクタハウジング１１０は、図１７に示すようにコネクタハウジング相互の嵌合方向（図１７の矢印Ｘ１方向）に沿って移動自在のスライダ１５０を備えており、このスライダ１５０にショート端子１３０が固定装備されている。また、スライダ１５０は、不図示のスプリングにより、図１７の矢印Ｘ２方向に付勢されている。
【０００７】
スライダ１５０には、ハウジング内部の位置決め壁１１３に係合するスライド規制突起１５１が設けられている。このスライド規制突起１５１が、図１７に示すように、ハウジング内部の位置決め壁１１３に係合することで、スライダ１５０の位置が、不図示のスプリングの付勢力に抗して、ショート端子１３０が接続端子１１１に接触した状態（即ち、短絡状態）となる位置に保持される。
【０００８】
コネクタハウジング１１０には、他方のコネクタハウジング１２０の端子収容筒部１２３が嵌合するハウジング嵌合空間１１５が、前端側に開放して形成されている。また、コネクタハウジング１１０には、ハウジング嵌合空間１１５内に突出する突起１１６を有したロックアーム１１７が備えられている。
【０００９】
ロックアーム１１７は、図１８に示すように、ハウジング嵌合空間１１５に嵌合完了した端子収容筒部１２３上の係止凹部１２５に突起１１６を係合させることにより、ハウジング相互の接続状態をロックする。
【００１０】
特許文献１のコネクタ１００の場合、ショート端子１３０は、接続端子１１１に接触する複数の短絡用接触片１３１が、スライダ１５０の後端部から先端側にＵ字状に折り返した形状に形成されている。このＵ字状の短絡用接触片１３１は、位置決め壁１１３付近に位置する先端部１３１ａが、端子収容筒部の隔壁１１８に形成された開口１１９から接続端子１１１に接触して、接続端子１１１相互を短絡させる。
【００１１】
特許文献１のコネクタ１００の場合、短絡解除部材１４０は、コネクタハウジング１２０の端子収容筒部１２３の先端の上縁角部に一体形成された解除用テーパ面１４１である。この解除用テーパ面１４１は、図１８に示すように、コネクタハウジング１１０とコネクタハウジング１２０の嵌合接続が完了したとき、スライド規制突起１５１に当接し、該スライド規制突起１５１を押し上げて位置決め壁１１３とスライド規制突起１５１との係合を解除する。
【００１２】
解除用テーパ面１４１によって位置決め壁１１３とスライド規制突起１５１との係合が解除されたスライダ１５０は、不図示のスプリングの付勢力によって、図１８に示すように、コネクタハウジング１１０の後端側に移動させられる。このとき、スライダ１５０と一体に、ショート端子１３０がコネクタハウジング１１０の後端側に移動するため、ショート端子１３０による短絡が解除される。
【先行技術文献】
【特許文献】
【００１３】
【特許文献１】特開２０００−３３１７４５号公報
【発明の概要】
【発明が解決しようとする課題】
【００１４】
ところが、上記特許文献１のコネクタ１００の場合、図１７に示すように、ショート端子１３０と接続端子１１１との接触部は、ショート端子１３０のＵ字状に湾曲した後端部１３０ａが邪魔になって、外部から視認できない。
そのため、コネクタハウジング１１０，１２０相互の嵌合接続時に、ショート端子１３０の動作状態（短絡状態及び短絡解除状態）を目視により簡単に確認することができないという不便があった。
【００１５】
また、上記特許文献１のコネクタ１００の場合、ショート端子１３０は可動部品であるスライダ１５０に装備しているため、コネクタハウジング１１０に対するスライダ１５０の組み付け精度が低いと、ショート端子１３０と接続端子１１１との接触にばらつきが生じたり、外部からの振動でスライダ１５０がガタついて異音の発生原因となる。そのため、スライダ１５０やコネクタハウジング１１０への要求寸法精度を高くしなければならず、構成部品の高精度化のために、構成部品の製造コストが増加するという問題も生じた。
【００１６】
そこで、本発明の目的は、上記課題を解消することに係り、コネクタハウジング相互の嵌合接続時に、ショート端子の動作状態（短絡状態及び短絡解除状態）を目視により簡単に確認することができ、また、構成部品に対する要求寸法精度を緩和して、構成部品の製造コストを低減することができるコネクタを提供することにある。
【課題を解決するための手段】
【００１７】
本発明の前述した目的は、下記の構成により達成される。
（１）互いに嵌合接続される雌雄一対のコネクタハウジングと、一方のコネクタハウジング内の接続端子相互を短絡可能に前記一方のコネクタハウジングに装備されるショート端子と、前記一対のコネクタハウジング相互の嵌合接続が完了するときに前記ショート端子による短絡状態を解除する短絡解除部材と、を備えるコネクタであって、
前記一方のコネクタハウジングは、該コネクタハウジング内の複数の端子収容孔に隣接するように配置されると共に、該コネクタハウジングの後端に開放する端子装着用開放部を有したショート端子収容空間と、前記複数の端子収容孔と前記ショート端子収容空間とを連通させて前記端子収容孔内の接続端子を前記ショート端子収容空間に臨ませる連通口と、を備え、
前記ショート端子は、前記端子装着用開放部から前記ショート端子収容空間内の前記連通口側から離れた領域に装着される端子本体と、該端子本体から前記連通口側に斜めに延出して前記連通口から各端子収容孔内に突出する短絡用接触片と、を備え、
前記短絡解除部材は、一方のコネクタハウジングの後端に嵌合装着されるハウジング嵌合部と、前記端子収容孔の延在方向に沿って前記ショート端子収容空間の前記端子収容孔寄りの位置に挿入可能に前記ハウジング嵌合部に一体形成された短絡解除片と、を備え、
前記ハウジング嵌合部は、前記一方のコネクタハウジングに対する係止位置が、前記短絡解除片の先端が前記短絡用接触片と前記接続端子との接触を妨げない仮係止位置と、前記短絡解除片の先端が前記短絡用接触片と前記接続端子との間に割り込むことで前記短絡用接触片を前記接続端子から離脱させる本係止位置とに切り替え可能に構成され、
前記短絡解除片は、前記ショート端子収容空間内の前記短絡用接触片の動作状態を前記端子装着用開放部から視認可能に装備されている
ことを特徴とするコネクタ。
【００１８】
（２）前記短絡解除部材のハウジング嵌合部は、雌雄一対のコネクタハウジング相互の接続をロックするために一方のコネクタハウジングに装備されているロックアームの係止部の後端に係合することで前記仮係止位置を維持する第１係合部と、前記ロックアームの係止部の前端に係合することで前記本係止位置を維持する第２係合部とを備え、
前記第１係合部による係合状態は、雌雄一対のコネクタハウジング相互の嵌合接続が完了したときに解除されることを特徴とする上記（１）に記載のコネクタ。
【００１９】
上記（１）の構成によれば、一対のコネクタハウジング相互の嵌合接続が完了したときに、一方のコネクタハウジング内のショート端子による短絡を解除する短絡解除部材は、一方のコネクタハウジングとは別体の部材で、一方のコネクタハウジングとは別に成形されるため、構造上の設計自由度が高い。
そして、一対のコネクタハウジング相互の嵌合接続が完了したときに、一方のコネクタハウジング内のショート端子による短絡を解除する短絡解除部材の短絡解除片は、一方のコネクタハウジングの後端に開放するショート端子収容空間に挿入されて、その先端が短絡用接触片と接続端子との間に割り込むことで短絡用接触片を接続端子から離脱させるもので、ショート端子収容空間内の短絡用接触片が短絡状態にあるか、あるいは短絡解除状態にあるかといった短絡用接触片の動作状態を端子装着用開放部から視認可能に装備される。
そのため、コネクタハウジング相互の嵌合接続時に、ショート端子の動作状態（短絡状態及び短絡解除状態）を目視により簡単に確認することができる。
【００２０】
また、上記（１）の構成によれば、ショート端子は、一方のコネクタハウジング内に固定装備されていて、スライダによりショート端子を可動に装備していた従来のコネクタと比較すると、構成部品に対する要求寸法精度を緩和しても、接続端子に対して安定した接触性を確保することができ、構成部品に対する要求寸法精度を緩和して、構成部品の製造コストを低減することができる。
【００２１】
上記（２）の構成によれば、一方のコネクタハウジングに対する短絡解除部材の装着は、コネクタハウジング相互の結合状態をロックするために一方のコネクタハウジングに装備されるロックアームを利用して行われるため、短絡解除部材の装着のために一方のコネクタハウジングの構造が繁雑化することを防止することができる。
また、短絡解除片の先端が前記短絡用接触片と前記接続端子との接触を妨げない仮係止位置に短絡解除部材を維持する第１係合部は、雌雄一対のコネクタハウジング相互の嵌合接続が完了したときに解除されるため、コネクタハウジング相互の嵌合が完了する前に短絡が解除されるという不都合を確実に防止することができ、インフレータ用コネクタとしての信頼性を向上させることができる。
【発明の効果】
【００２２】
本発明によるコネクタによれば、一対のコネクタハウジング相互の嵌合接続が完了したときに、一方のコネクタハウジング内のショート端子による短絡を解除する短絡解除部材の短絡解除片は、一方のコネクタハウジングの後端に開放するショート端子収容空間に挿入されて、その先端が短絡用接触片と接続端子との間に割り込むことで短絡用接触片を接続端子から離脱させるもので、ショート端子収容空間内の短絡用接触片が短絡状態にあるか、あるいは短絡解除状態にあるかといった短絡用接触片の動作状態を端子装着用開放部から視認可能に装備される。
そのため、コネクタハウジング相互の嵌合接続時に、ショート端子の動作状態（短絡状態及び短絡解除状態）を目視により簡単に確認することができる。
【００２３】
また、本発明によるコネクタによれば、ショート端子は、一方のコネクタハウジング内に固定装備されていて、スライダによりショート端子を可動に装備していた従来のコネクタと比較すると、構成部品に対する要求寸法精度を緩和しても、接続端子に対して安定した接触性を確保することができ、構成部品に対する要求寸法精度を緩和して、構成部品の製造コストを低減することができる。
【図面の簡単な説明】
【００２４】
【図１】本発明に係るコネクタの一実施形態において、雌雄一対のコネクタハウジングの嵌合接続により短絡解除部材の仮係止状態が解除された状態の後面図である。
【図２】図１のＡ−Ａ断面図である。
【図３】図１に示した雌コネクタハウジングの斜視図である。
【図４】図３に示した雌コネクタハウジングの後面図である。
【図５】図４のＢ−Ｂ断面図である。
【図６】図２に示したショート端子の斜視図である。
【図７】図２に示した短絡解除部材の斜視図である。
【図８】図７の短絡解除部材の縦断面図である。
【図９】一実施形態の雌コネクタハウジングにショート端子及び短絡解除部材が装着された状態の後面図である。
【図１０】図９のＣ−Ｃ断面図である。
【図１１】一実施形態の雌コネクタハウジングにショート端子及び短絡解除部材、及び雌型の接続端子が装着された状態の後面図である。
【図１２】図１１のＤ−Ｄ断面図である。
【図１３】一実施形態の雄コネクタハウジングの斜視図である。
【図１４】一実施形態の雄コネクタハウジングの縦断面図である。
【図１５】一実施形態のコネクタにおいて、コネクタハウジング相互の嵌合接続が完了した後、短絡解除部材によって短絡が解除された状態の後面図である。
【図１６】図１５のＥ−Ｅ断面図である。
【図１７】従来のコネクタにおけるコネクタハウジング相互の嵌合前の状態を示す縦断面図である。
【図１８】従来のコネクタにおけるコネクタハウジング相互の嵌合が完了して短絡が解除された状態の縦断面図である。
【発明を実施するための形態】
【００２５】
以下、本発明に係るコネクタの好適な実施形態について、図面を参照して詳細に説明する。
図１〜図１６は本発明に係るコネクタの一実施形態を示したもので、図１は本発明に係るコネクタの一実施形態において、雌雄一対のコネクタハウジングの嵌合接続により短絡解除部材の仮係止状態が解除された状態の後面図、図２は図１のＡ−Ａ断面図、図３は図１に示した雌コネクタハウジングの斜視図，図４は図３に示した雌コネクタハウジングの後面図、図５は図４のＢ−Ｂ断面図、図６は図２に示したショート端子の斜視図、図７は図２に示した短絡解除部材の斜視図、図８は図７の短絡解除部材の縦断面図、図９は一実施形態の雌コネクタハウジングにショート端子及び短絡解除部材が装着された状態の後面図である。また、図１０は図９のＣ−Ｃ断面図、図１１は一実施形態の雌コネクタハウジングにショート端子及び短絡解除部材、及び雌型の接続端子が装着された状態の後面図、図１２は図１１のＤ−Ｄ断面図、図１３は一実施形態の雄コネクタハウジングの斜視図、図１４は一実施形態の雄コネクタハウジングの縦断面図、図１５は一実施形態のコネクタにおいて、コネクタハウジング相互の嵌合接続が完了した後、短絡解除部材によって短絡が解除された状態の後面図、図１６は図１５のＥ−Ｅ断面図である。
【００２６】
この一実施形態のコネクタ１は、２極のコネクタで、図１及び図２に示すように、２つの雌型の接続端子３を収容した雌コネクタハウジング１１と、２つの雄型の接続端子５を収容して雌コネクタハウジング１１に嵌合接続される雄コネクタハウジング２１と、これらの雌雄一対のコネクタハウジング１１，２１の内の一方のコネクタハウジングである雌コネクタハウジング１１内の接続端子３相互を短絡可能に雌コネクタハウジング１１に装備されるショート端子３１と、一対のコネクタハウジング１１，２１相互の嵌合接続が完了するときにショート端子３１による短絡状態を解除する短絡解除部材４１と、を備える。
【００２７】
雌コネクタハウジング１１は、図３〜図５に示すように、２つの雌型の接続端子３を収容する２つの端子収容孔１２を有して雄コネクタハウジング２１に嵌合させられるハウジング本体１３と、このハウジング本体１３の前端側外周から後端に向かって延出したロックアーム１４とを備えている。
【００２８】
本実施形態のハウジング本体１３は、図３〜図５に示すように、ショート端子収容空間１５と、連通口１６とを有している。
【００２９】
ショート端子収容空間１５は、当該ハウジング本体１３内の２つの端子収容孔１２に隣接するように、端子収容孔１２の上部に配置されている。このショート端子収容空間１５は、ショート端子３１を収容保持する空間で、ハウジング本体１３の後端に開放する端子装着用開放部１５ａを有している。ショート端子収容空間１５へのショート端子３１の装着は、端子装着用開放部１５ａから行われる。
【００３０】
連通口１６は、図５に示すように、２つの端子収容孔１２とショート端子収容空間１５とを連通させる開口で、各端子収容孔１２内の接続端子３をショート端子収容空間１５に臨ませる。
【００３１】
ロックアーム１４は、図３及び図５に示すように、ハウジング本体１３の前端側外周から後端に向かって延出した弾性アーム部１４ａと、該弾性アーム部１４ａの途中に形成された係止部１４ｂと、弾性アーム部１４ａの後端に形成された操作部１４ｃとを備えている。
【００３２】
係止部１４ｂは、図２に示すように、雌コネクタハウジング１１と雄コネクタハウジング２１との嵌合接続の完了時に、雄コネクタハウジング２１に装備された係止突起２４と係合することで、ハウジング相互の接続状態をロックする。
【００３３】
操作部１４ｃは、ハウジング相互の接続を解除する際に押下する部位である。この操作部１４ｃを押下することで、弾性アーム部１４ａをハウジング本体１３側に撓ませて係止突起２４と係止部１４ｂとの係合を解除することができる。
【００３４】
ショート端子３１は、金属板のプレス成形により形成した端子で、図６に示すように、端子本体３２と、該端子本体３２の後端（図２では、右端）から延出する２つの短絡用接触片３３と、を備えている。
【００３５】
端子本体３２は、左右の側壁部３２ａと、これらの側壁部３２ａ間を連結する連結壁部３２ｂとを備えている。端子本体３２は、図２に示すように、連結壁部３２ｂがショート端子収容空間１５の上壁面１５ｂ（図５参照）に接触するように、端子装着用開放部１５ｂからショート端子収容空間１５内の連通口１６側から離れた領域（上壁面１５ｂ側の領域）に装着される。
【００３６】
短絡用接触片３３は、図９〜図１２に示すように、端子本体３２の後端から、連通口１６側に斜めに延出して、連通口１６から各端子収容孔１２内に突出する形状に成形されている。また、短絡用接触片３３の端子収容孔１２内に突出する部分は、雌型の接続端子３との接触が安定するように、雌型の接続端子３側に凸の湾曲形状３３ａに成形されている。
【００３７】
短絡解除部材４１は、図２に示すように、雌コネクタハウジング１１の後端に嵌合装着されるハウジング嵌合部４２と、該ハウジング嵌合部４２に一体形成された短絡解除片４３とを備えている。
【００３８】
ハウジング嵌合部４２は、図９〜図１２に示すように、係止アーム４５と、アーム規制部４６と、指当部４７とを備えている。
【００３９】
係止アーム４５は、雌コネクタハウジング１１に対する係止位置が、図１２に示すように短絡解除片４３の先端が短絡用接触片３３と雌型の接続端子３との接触を妨げない仮係止位置と、図１６に示すように短絡解除片４３の先端が短絡用接触片３３と雌型の接続端子３との間に割り込むことで短絡用接触片３３を接続端子から離脱させる本係止位置とに切り替え可能に構成される。
【００４０】
本実施形態の係止アーム４５は、雌コネクタハウジング１１に対する係止位置を仮係止位置又は本係止位置に切り替え可能にするために、第１係合部４５ａと、第２係合部４５ｂとを備える。
第１係合部４５ａは、図１２に示すように、ロックアーム１４の係止部１４ｂの後端に係合することで、仮係止位置を維持する。第２係合部４５ｂは、図１６に示すように、ロックアーム１４の係止部１４ｂの前端に係合することで、本係止位置を維持する。
【００４１】
第１係合部４５ａは、係止アーム４５の上面に突設された嵌合検知突起４５ｃの前端に形成された段差である。また、第２係合部４５ｂは、嵌合検知突起４５ｃの後端に形成された段差である。
【００４２】
嵌合検知突起４５ｃは、図１２に示すように短絡解除部材４１が仮係止位置で雌コネクタハウジング１１に装着されている状態で、雌コネクタハウジング１１が雄コネクタハウジング２１に嵌合接続された場合に、図２に示したように、雄コネクタハウジング２１の係止突起２４により押下されて、第１係合部４５ａと係止部１４ｂとの係合状態が解除される。即ち、第１係合部４５ａによる係合状態は、雌雄一対のコネクタハウジング１１，２１相互の嵌合接続が完了したときに解除される。
【００４３】
アーム規制部４６は、図１６に示すように、短絡解除部材４１が本係止位置に移動した際に、雌コネクタハウジング１１のロックアーム１４の下側に入り込むことで、ロックアーム１４の撓み変位を規制する。
【００４４】
指当部４７は、短絡解除部材４１を雌コネクタハウジング１１に嵌合装着するときに、指を当てる把持部である。
【００４５】
短絡解除片４３は、図８に示すように、端子収容孔１２の延在方向に沿ってショート端子収容空間１５の端子収容孔１２寄りの位置に挿入可能に、ハウジング嵌合部４２に一体形成されている。この短絡解除片４３は、薄板状で、短絡解除部材４１が仮係止位置から本係止位置に移動するとき、図１６に示すように、雌型の接続端子３と短絡用接触片３３との間に割り込むことで、短絡用接触片３３を雌型の接続端子３から離脱させて短絡解除状態を形成する。
【００４６】
更に、本実施形態の場合、短絡解除片４３は、ショート端子収容空間１５内の短絡用接触片３３の動作状態（短絡状態か、あるいは短絡解除状態か）を端子装着用開放部１５ａから視認可能に、ショート端子３１の後方を塞がないように、装備されている。
【００４７】
また、本実施形態の場合、短絡解除片４３の先端面は、図７及び図８に示すように、雌型の接続端子３と短絡用接触片３３との間に割り込み易いように、傾斜面４３ａに形成されている。
【００４８】
雄コネクタハウジング２１は、図１３及び図１４に示すように、雄型の接続端子５を収容保持する端子収容孔２２を有したハウジング本体２３と、該ハウジング本体２３の前端側に突出形成されたフード部２５とを備えている。
【００４９】
フード部２５は、雌コネクタハウジング１１のハウジング本体１３が嵌合する空間を形成している。このフード部２５の内壁面には、雌コネクタハウジング１１と雄コネクタハウジング２１との嵌合接続が完了したときに、図２に示すように、雌コネクタハウジング１１の係止部１４ｂに係合して、ハウジング相互の接続状態をロックする係止突起２４が装備されている。
【００５０】
以上に説明した雌コネクタハウジング１１は、予め、図１０に示したように、雌コネクタハウジング１１にショート端子３１を組み付け、更に、短絡解除部材４１を仮係止位置に組み付ける。更に、図１２に示すように、雌型の接続端子３を組み付けた組立体とした後、雄コネクタハウジング２１に嵌合接続する。
短絡解除部材４１が仮係止位置にあるときは、ショート端子３１により、雌コネクタハウジング１１内の雌型の接続端子３相互が短絡接続されている。
【００５１】
短絡解除部材４１が仮係止位置に装着された雌コネクタハウジング１１と雄コネクタハウジング２１との嵌合接続が完了すると、図２に示したように、係止部１４ｂに係合した係止突起２４が短絡解除部材４１の嵌合検知突起４５ｃを押下して、短絡解除部材４１の仮係止状態が解除される。この状態で、短絡解除部材４１を雌コネクタハウジング１１内に押し込むと、図１５及び図１６に示すように、短絡解除片４３が雌型の接続端子３と短絡用接触片３３との間に割り込んで、短絡解除状態とすることができる。
【００５２】
以上に説明した一実施形態のコネクタ１では、一対のコネクタハウジング１１，２１相互の嵌合接続が完了したときに、一方のコネクタハウジング１１内のショート端子３１による短絡を解除する短絡解除部材４１は、一方のコネクタハウジング１１とは別体の部材で、一方のコネクタハウジング１１とは別に成形されるため、構造上の設計自由度が高い。
【００５３】
そして、一対のコネクタハウジング１１，２１相互の嵌合接続が完了したときに、一方のコネクタハウジング１１内のショート端子３１による短絡を解除する短絡解除部材４１の短絡解除片４３は、一方のコネクタハウジング１１の後端に開放するショート端子収容空間１５に挿入されて、その先端が短絡用接触片３３と接続端子との間に割り込むことで短絡用接触片３３を接続端子から離脱させるもので、ショート端子収容空間１５内の短絡用接触片３３が短絡状態にあるか、あるいは短絡解除状態にあるかといった短絡用接触片３３の動作状態を端子装着用開放部１５ａから視認可能に装備される。
【００５４】
そのため、コネクタハウジング相互の嵌合接続時に、ショート端子３１の動作状態（短絡状態及び短絡解除状態）を目視により簡単に確認することができる。
【００５５】
また、以上に説明した一実施形態のコネクタ１では、ショート端子３１は、一方のコネクタハウジング１１内に固定装備されていて、スライダによりショート端子を可動に装備していた従来のコネクタと比較すると、構成部品に対する要求寸法精度を緩和しても、接続端子に対して安定した接触性を確保することができ、構成部品に対する要求寸法精度を緩和して、構成部品の製造コストを低減することができる。
【００５６】
また、以上に説明した一実施形態のコネクタ１では、一方のコネクタハウジング１１に対する短絡解除部材４１の装着は、コネクタハウジング相互の結合状態をロックするために一方のコネクタハウジング１１に装備されるロックアーム１４を利用して行われるため、短絡解除部材４１の装着のために一方のコネクタハウジング１１の構造が繁雑化することを防止することができる。
また、短絡解除片４３の先端が短絡用接触片３３と雌型の接続端子３との接触を妨げない仮係止位置に短絡解除部材４１を維持する第１係合部４５ａは、雌雄一対のコネクタハウジング１１，２１相互の嵌合接続が完了したときに解除されるため、コネクタハウジング相互の嵌合が完了する前に短絡が解除されるという不都合を確実に防止することができ、インフレータ用コネクタとしての信頼性を向上させることができる。
【００５７】
なお、本発明のコネクタ１は、前述した実施形態に限定されるものでなく、適宜な変形、改良等が可能である。
例えば、各コネクタハウジングが収容する接続端子の数量は、上記実施形態に示した２極に限らない。また、上記の実施形態において例示した短絡解除部材における雌コネクタハウジングとの具体的な係合構造も、本発明の目的を達成できるものであれば、任意であり、前述した実施形態に限定されない。
【符号の説明】
【００５８】
１  コネクタ
３  雌型の接続端子
５  雄型の接続端子
１１  雌コネクタハウジング（一方のコネクタハウジング）
１２  端子収容孔
１３  ハウジング本体
１４  ロックアーム
１４ｂ  係止部
１５  ショート端子収容空間
１５ａ  端子装着用開放部
２１  雄コネクタハウジング（他方のコネクタハウジング）
２４  係止突起
３１  ショート端子
３２  端子本体
３３  短絡用接触片
４１  短絡解除部材
４３  短絡解除片
４５  係止アーム
４５ａ  第１係合部
４５ｂ  第２係合部
４５ｃ  嵌合検知突起
４６  アーム規制部
【図１】
0005627437.tif 000002
【図２】
0005627437.tif 000003
【図３】
0005627437.tif 000004
【図４】
0005627437.tif 000005
【図５】
0005627437.tif 000006
【図６】
0005627437.tif 000007
【図７】
0005627437.tif 000008
【図８】
0005627437.tif 000009
【図９】
0005627437.tif 000010
【図１０】
0005627437.tif 000011
【図１１】
0005627437.tif 000012
【図１２】
0005627437.tif 000013
【図１３】
0005627437.tif 000014
【図１４】
0005627437.tif 000015
【図１５】
0005627437.tif 000016
【図１６】
0005627437.tif 000017
【図１７】
0005627437.tif 000018
【図１８】
0005627437.tif 000019